(57)【特許請求の範囲】
【請求項１】
躯体上面に設ける支柱と、支柱の内部に嵌合する補強部材と、補強部材を上下方向に挿通し下端部を躯体上面に固定して補強部材を躯体上面に固定するボルトと、支柱と補強部材とを支柱の外側から止めるタッピングねじと、支柱の下端と躯体上面との隙間を隠すカバーとを備え、支柱の下端は略水平であり、補強部材の下端は傾斜しており、支柱は補助部材に対する上下方向位置を変更自在であり、支柱の下端を傾斜した躯体上面の上方位置にのみ当接するとともに補強部材の最下端を躯体上面の下方位置にのみ当接し、鉛直に立設した支柱と補助部材とをタッピングねじで止めてあることを特徴とする支柱装置。
【発明の詳細な説明】
【０００１】
【発明の属する技術分野】
本発明は、支柱装置に関する。
【０００２】
【従来の技術】
特許第２９９２２６３号公報には、上面が内外方向に傾斜した躯体に支柱を立設する技術が開示されている。この公報に開示の技術では、支柱の下端は躯体上面の傾斜に沿って傾斜しており、支柱の内部に設けた補強部材の下端も躯体上面の傾斜に沿って傾斜しており、支柱の下端及び補強部材の下端はその端縁の全体が躯体上面に当接している。
【０００３】
【発明が解決しようとする課題】
しかし、上述した従来技術では、躯体上面の傾斜と同じ傾斜角度で傾斜するように支柱の下端及び補強部材の下端を合わせているので、支柱の下端及び補強部材の下端の傾斜角度を体上面の傾斜角度と同じ角度で傾斜するように精度良く切断する必要があるので、施工現場での加工に手間がかかるという問題がある。
【０００４】
そこで、本発明は、高い精度の切断が必要でなく、施工が容易な支柱装置を提供することを目的とする。
【０００５】
【課題を解決するための手段】
本発明は、躯体上面に設ける支柱と、支柱の内部に嵌合する補強部材と、補強部材を上下方向に挿通し下端部を躯体上面に固定して補強部材を躯体上面に固定するボルトと、支柱と補強部材とを支柱の外側から止めるタッピングねじと、支柱の下端と躯体上面との隙間を隠すカバーとを備え、支柱の下端は略水平であり、補強部材の下端は傾斜しており、支柱は補助部材に対する上下方向位置を変更自在であり、支柱の下端を傾斜した躯体上面の上方位置にのみ当接するとともに補強部材の最下端を躯体上面の下方位置にのみ当接し、鉛直に立設した支柱と補助部材とをタッピングねじで止めてあることを特徴とする。
【０００６】
本発明では、補強部材の上方から下方にボルトを挿通して、そのボルトの下端部を躯体上面に固定する。補強部材を支柱の内部に嵌合するように支柱を設け、支柱の外側からタッピングねじを螺合して支柱と補強部材とを止め、支柱の下端と躯体との間の隙間を覆うように、カバーを支柱の下端の外周に取り付ける。
躯体の上面は傾斜しており、この躯体上面に支柱を垂直に立設すると、支柱の下端は略水平であるから、支柱の下端は躯体上面の上方位置でのみ躯体上面に当接する。補強部材の傾斜した最下端は、躯体上面の下方位置にのみ当接する。
従って、鉛直に立設した支柱と鉛直に立設した補強部材とをタッピングねじで固定しており、躯体の傾斜した上面では、その上方位置で支柱の下端が当接し、下方位置では補強部材の傾斜した下端のうち最下端が当接しているとともに、その状態で、ボルトにより補強部材を躯体に固定しているので、支柱を安定に立設することができる。
また、躯体上面の傾斜角度に合わせて支柱の下端や補強部材の下端を切断する必要がないので、精度の良い切断が不要であり、施工が容易である。
しかも、躯体上面の傾斜が大きい場合には、支柱の下端に対する補強部材の最下端が下方に多く出るように調整し、躯体上面の傾斜が小さい場合には、支柱の下端に対する補強部材の最下端の出ている量を小さく調整することにより、躯体上面の傾斜角度応じた施工が容易である。
また、支柱の下端では、躯体上面との間に生じた隙間はカバーで覆っており、外部から見えないようになっているので、外観がよい。
【０００７】
【発明の実施の形態】
以下に、本発明の実施の形態を説明する。図１は本発明の実施の形態にかかる支柱装置の縦断面であり、図２は図１のＡ−Ａ断面図であり、図３は図１に示す支柱の高さを低くした場合の縦断面図である。
本実施の形態にかかる支柱装置１は、手摺の柱であり、コンクリート製の躯体上面２に立設されている。この支柱装置１は、支柱３と、補強部材５と、カバー７と、ボルト９と、タッピングねじ１１とで構成されている。
躯体上面２は、外方側部が内方側部よりも高くなるように傾斜しており、支柱装置１はかかる傾斜面に立設されている。
支柱３は、横断面が矩形のアルミニウム製の押出し形材である。この支柱３の上端３ａ及び下端３ｂは、略水平であり、支柱の下端３ｂでは、その外側端１７のみが、躯体上面２に当接しており、内側端１８は躯体上面２との間に間隔Ｓをあけている。
補強部材５は、アルミニウム製の押出し形材であり、支柱３の内部に嵌合しており、支柱３の内部に嵌合する嵌合部１９と、ボルト取付部２１とが設けられている。ボルト取付部２１は、小孔径の中央孔部２３と、中央孔部２３の両側に設けた大孔径の両側孔部２５ａ、２５ｂとを備えており、図１では、２つの両側孔部２５ａ、２５ｂにボルト９、９を挿通している。
補強部材５の下端３３は、外方側の縁部３５が内方側の縁部３７よりも高くなるように傾斜しているとともに、躯体上面２よりも大きな傾斜角度で傾斜している。即ち、図１に支柱３と補強部材５との関係を符号Ｂで抜き出して示しているように、補強部材５では躯体上面２の内外方向における内方側の縁部３７のみが躯体上面２の傾斜した上方位置にのみ当接している。
ボルト９、９の下端部は、躯体上面２に設けたボルト挿通孔部２９に挿通しており、充填剤３１により躯体２ａに固定している。充填剤３１は例えば、接着剤である。
タッピングねじ１１は、補強部材５の上部と下部との位置の２ヶ所で、支柱３と補強部材５とを固定しており、タッピングねじ１１は支柱３の外側からねじ止めしている。
カバー７は、支柱３の下端部の外周に設けており、支柱３の下端部と躯体上面２との間に生じた間隙Ｓを覆っている。
尚、支柱３の上端縁３ａに設けているのは、上カバー４３である。
【０００８】
次に、本実施の形態にかかる支柱装置１の施工方法について説明する。補強部材５の下端３３を躯体上面２の傾斜よりも大きな傾斜角度で切断したものを、躯体上面２に垂直に立てる。この場合、その補強部材５の下端３３では、最下端３７のみが傾斜した躯体上面２の下方位置で当接する。補強部材５はアルミニウム製なので補強部材５の切断は容易にできる。また、補強部材５の下端３３の傾斜は躯体上面に合わせる必要がなく、精度が要求されないので、容易に切断できる。
次に、補強部材５では、ボルト取付部２１にある３つの孔部２３、２５ａ、２５ｂのうち、２つの外側孔部２５ａ、２５ｂにボルト９をねじ込んで、ボルト９の下端部９ａを躯体上面２に設けたボルト挿通孔部２９に配置し、ボルト挿通孔部２９に充填剤３１を充填し、補強部材５を躯体２ａに固定する。
続いて、補強部材５の外側に支柱３を被せるようにして、支柱３の内部に補強部材５を嵌合する。支柱３の下端３ｂは、略水平であるのに対して、躯体上面２ａは傾斜しているので、躯体上面２ａの上方位置にのみ下端部３ｂが当接する。次に、支柱３の外側からタッピングねじ１１により支柱３と補強部材５とを止める。これにより、補強部材５と支柱３とを固定する。支柱３及び補強部材５とが共にアルミニウム製材であるからタッピングねじ１１を使用でき、施工し易い。
補強部材５と支柱３とは、互いに固定されているとともに、躯体上面２の上方位置２２にのみ支柱３の下端３ｂの外側端１７が当接し、躯体上面２の下方位置２０に補強部材５の最下端３７が当接し、全体として２ヶ所で当接するので、支柱３は安定である。
尚、躯体上面２の傾斜が大きい場合には、支柱３の下端３ｂに対する補強部材２５の最下端３７を下方に多くでるように調整し、躯体上面２の傾斜が小さい場合には、支柱３の下端３ｂに対する補強部材２５の最下端３７の出ている量を小さく調整することにより、躯体上面２の傾斜角度応じて、容易に施工可能である。
次に、カバー７を支柱３の下端３ｂの外周に取り付け、支柱３の下端３ｂと躯体上面２との間の隙間Ｓを隠す。
この実施の形態では、支柱３及び補強部材５とが共にアルミニウム製材であるから錆びの発生がないとともに切断等の施工現場での加工も容易である。
一方、図３に示すように、支柱３の高さを低くしたい場合には、上述したものと同じ支柱３及び補強部材５を用いるが、支柱３は適当な長さにその下端側を切断するが、切断は、筒状の支柱３を略水平方向に切断するだけなので、容易に切断できる。一方、補強部材５も所定の寸法の位置で、下端３３を斜めに切断する。補強部材５においても、切断は、躯体上面２の傾斜に合わせることなく、斜めに切断するだけなので、容易に切断できる。
このように、支柱３及び補強部材５の長さを整えたところで、上述した図１に示す支柱装置１と同様にして躯体上面２に立設するが、ボルト９は１本用いるとともに、補強部材５のボルト取付部２１では、中央孔部２３に取り付けて躯体２ａに固定する。
ボルト取付部２１は、２つの外側孔部２５ａ及び２５ｂと中央孔部２３との合計３つの孔部を設けているので、支柱３の高さが高い場合には補強部材５は、外側孔部２５ａ及び２５ｂを用いて２本のボルト９、９で固定でき、支柱３の高さが低い場合には中央孔部２３を用いて１本のボルト９で固定でき、必要に応じて使用するボルト９の数を変えることができるので、必要最小限のボルト９で固定できる。
しかも、支柱３の高さを変えて施工する場合にも、支柱３を施工するときには、支柱３の下端３ｂ及び補強部材５の下端３３を、躯体上面２の傾斜に合わせて精度良く切断する必要がないので、施工が容易である。
【０００９】
本発明は、上述した実施の形態に限らず、本発明の要旨を逸脱しない範囲で種々変形可能である。
例えば、支柱３及び補強部材５の材質は、特に制限されず、共にアルミニウム製に限らない。
支柱３と補強部材５とを止めるタッピングねじ１１は、いくつであってもよく、また、支柱３の下部に設けたタッピングねじ１１は、カバー７で隠すものであってもよい。
支柱装置１は、手摺の支柱に限らず、フェンス等の支柱であってもよく、用途は制限されない。
ボルト９は、頭付きのものに限らず、ナットを螺合して頭の代わりにしたものであってもよい。
また、ボルト９は頭のない軸部のみのものを用いるとともに補強部材５の下方部分に取り付けるものであってもよい。この場合、軸部にはその全体にねじが形成されていても良いし、またはねじが下半分にのみ形成されておりねじが形成されていない上半分を接着剤により補強部材５に固定するものであってもよい。
【００１０】
【発明の効果】
本発明によれば、躯体の内外方向における外方側では支柱の下端が躯体上面に当接し、内方側では補強部材の下端が躯体上面に当接しているので、傾斜した躯体上面に支柱を安定に立設することができる。
支柱の下端及び補強部材の下端は、躯体上面の傾斜に合わせて切断する必要がないので、精度の良い切断が不要であり、施工が容易である。
支柱は補強部材に対する上下方向位置を変更自在に設けているので、躯体上面の傾斜角度にかかわらず、容易に施工できる。
支柱の下端では、躯体上面との間に生じた隙間はカバーで覆っており、外部から見えないようになっているので、外観がよい。
【図面の簡単な説明】
【図１】本発明の実施の形態にかかる支柱装置の縦断面である。
【図２】図１のＡ−Ａ断面図である。
【図３】図１に示す支柱を低くして施工した場合の縦断面図である
【符号の説明】
１    柱装置
２ａ  躯体上面
３    支柱
３ｂ  支柱の下端
５    補強部材
７    カバー
９    ボルト
２０  躯体上面の下方位置
２２  躯体上面の上方位置
３３  補強部材の下端
３７  補強部材の最下端
【図１】
0003568116.tif 000002
【図２】
0003568116.tif 000003
【図３】
0003568116.tif 000004